(57)【要約】      （修正有）【課題】ホイール内周面の指定位置にバランスウエイトを手作業で正確に取り付けることができるバランスウエイト取付治具を提供する。【解決手段】下面１ａが凸円弧状の筐体からなる本体１と、下面１ａに沿って固定された凸円弧状の磁石板２とを備え、バランスウエイトを磁石板２に吸着させた状態で車両用ホイールの内周面の所定位置に押し当てるバランスウエイト取付治具Ａであって、本体１には磁石板２周辺を照明するＬＥＤ３が取り付けられるとともに、ＬＥＤ３の電源４を収納する電源収納部が筐体内に設けられた構成とする。【選択図】図１
0003229199.tif 000002
【実用新案登録請求の範囲】
【請求項１】
下面が凸円弧状の筐体からなる本体と、前記下面に沿って固定された凸円弧状の磁石板とを備え、バランスウエイトを前記磁石板に吸着させた状態で車両用ホイールの内周面の所定位置に押し当てるバランスウエイト取付治具であって、
前記本体には前記磁石板周辺を照明するＬＥＤが取り付けられるとともに、前記ＬＥＤの電源を収納する電源収納部が前記筐体内に設けられたバランスウエイト取付治具。
【請求項２】
前記筐体は上面が長方形であって、前記下面は前記上面の長辺方向に沿って凸円弧状をなし、さらに前記上面の長辺側の側壁が前面および後面となる略直方体の形状を有しており、前記前面および前記後面の下端中央付近に位置合わせ用のマーカが設けられている請求項１に記載のバランスウエイト取付治具。
【請求項３】
前記電源収納部は前記筐体の上部に設けられ、
前記筐体は前記電源収納部より下側であって前記凸円弧状の下面よりも上側である中間部分に、前記前面と前記後面との間を貫通する空間部を形成するように内側壁が形成され、前記内側壁上で前記磁石板周辺に向けて光照射可能な位置に前記ＬＥＤが取り付けられるようにした請求項２に記載のバランスウエイト取付治具。
【請求項４】
前記内側壁の上部側には、法線方向が前記前面より前方の下方に向かい、前記後面より後方の下方に向かう前後一対の傾斜面が前記長手方向に沿って形成され、
前記傾斜面に前記ＬＥＤが取り付けられるようにした請求項３に記載のバランスウエイト取付治具。
【請求項５】
前記空間部の前面側の開口部並びに後面側の開口部に透明な樹脂またはガラス製の閉鎖壁板が設けられている請求項３又は請求項４に記載のバランスウエイト取付治具。
【考案の詳細な説明】
【技術分野】
【０００１】
本考案は、自動車修理工場等で、車両用ホイールのアンバランスを補正するために鉄製バランスウエイトを、ホイールの指定位置に貼り付けるためのバランスウエイト取付治具に関する。
【背景技術】
【０００２】
通常、ホイールのアンバランスを補正するために、ホイールバランサーの回転軸にホイールを取り付けて高速回転させることで、バランサー本体の内部に備えた検出手段によりアンバランス量とアンバランス位置を検出し、指定されたウエイト取付位置に、指定された重さのバランスウエイトを取り付けることが行われている。
【０００３】
バランスウエイトは、図５に示すように、鉄製のバランスウエイトブロック１３を、両面に粘着面を有する両面テープ１４の一面に並べて貼り付け、両面テープ１４の他面粘着面でホイールの内周面に貼着される帯状構造ものが用いられる。ホイールに貼り付けられる粘着面は、予め離型紙（剥離紙）１５が貼付してあり、ホイール内周面への貼付け時に剥がされる。
【０００４】
このようなバランスウエイトを手作業で取り付けるための治具として、例えば特許文献１や特許文献２で開示されたものがある。これら従来治具は、治具の下面に、ホイール内周面の曲率に略沿った凸湾曲面を有する磁石板が設けられており、この磁石板に所望のブロック数に切り取ったバランスウエイトを吸着（磁着）させ、ホイール内周面の指定された位置で治具を押しつけることによりバランスウエイトをホイールに取り付けるようにしている。
【先行技術文献】
【特許文献】
【０００５】
【特許文献１】特開２０００−３４６１３７号公報
【特許文献２】特開２００１−３４３０４８号公報
【考案の概要】
【考案が解決しようとする課題】
【０００６】
バランスウエイトをホイールに取り付ける際は、指定された重さの量をあらかじめプログラムされたホイール内周上の指定位置や、レーザ光で指定された位置に正確に貼り付けることが要求される。しかしホイール内周面は、位置によってバランサー回転軸や作業者自身の影等で暗くなるところもあり、バランスウエイトやバランスウエイトを支持する取付治具の正確な位置が見えなくなり、指定位置からずれて取り付けられることがある。指定位置からずれるとタイヤバランスが正確に補正されないのでバランスウエイトを張り直さなければならないが、両面テープの粘着性が強いのでバランスウエイト剥離除去するのに手間がかかり、大変面倒であると共に不経済である。
【０００７】
そこで本考案は、上記した課題を解決し、ホイール内周面の指定位置にバランスウエイトを手作業で正確に取り付けることができるバランスウエイト取付用治具を提供することを目的とする。
【課題を解決するための手段】
【０００８】
上記課題を解決するために、本考案では次のような技術的手段を講じた。即ち、本考案のバランスウエイト取付治具は、下面が凸円弧状の筐体からなる本体と、前記下面に沿って固定された凸円弧状の磁石板とを備え、バランスウエイトを前記磁石板に吸着させた状態で車両用ホイールの内周面の所定位置に押し当てるバランスウエイト取付治具であって、前記本体には前記磁石板周辺を照明するＬＥＤが取り付けられるとともに、前記ＬＥＤの電源を収納する電源収納部が前記筐体内に設けられた構成とした。
【考案の効果】
【０００９】
本考案のバランスウエイト取付治具は上記のように構成されているので、バランスウエイトの取り付け時において、作業位置の条件により暗くて見づらい場合は、ＬＥＤを点灯することで指定された取付位置（所定位置）を明るく照らすことができ、位置ずれすることなく正確にバランスウエイトを取り付けることができる。また、バランスウエイト取付時以外でも作業場での照明器具として便利に利用することができるといった効果がある。
【００１０】
上記考案において、前記筐体は上面が長方形であって、前記下面は前記上面の長辺方向に沿って凸円弧状をなし、さらに前記上面の長辺側の側壁が前面および後面となる略直方体の形状を有しており、前記前面および前記後面の下端中央付近に位置合わせ用のマーカが設けられるようにしてもよい。
これにより、本体の上側は長辺方向を有する直方体形状であるので把手部として持ちやすい形状になっており、長辺側の側壁である前面、後面の下端中央にあるマーカをホイール内周面上の指定されたウエイト取り付け基準位置に合わせることにより容易にかつ正確にバランスウエイトをホイールに貼り付けることができる。
【００１１】
上記考案において、前記電源収納部は前記筐体の上部に設けられ、前記筐体は前記電源収納部より下側であって前記凸円弧状の下面よりも上側である中間部分に、前記前面と前記後面との間を貫通する空間部を形成するように内側壁が形成され、前記内側壁上で前記磁石板周辺に向けて光照射可能な位置（すなわち壁面の法線方向が磁石板側に向かう内側壁の位置）に前記ＬＥＤが取り付けられるようにしてもよい。
これにより、筐体の中間部分に形成した空間部を形成する内側壁上で、磁石板周辺に向けて光照射可能な位置にＬＥＤを取り付けているので、外側にＬＥＤを突出させることなく直方体形状の筐体の内側にＬＥＤを取り付けて光照射することができるようになり、衝突等によるＬＥＤの破損を抑制することができる。
【００１２】
上記考案において、前記内側壁の上部側には、法線方向が前記前面より前方の下方に向かい、前記後面より後方の下方に向かう前後一対の傾斜面が前記長手方向に沿って形成され、前記傾斜面に前記ＬＥＤが取り付けられるようにしてもよい。
これにより、磁石板周辺のＬＥＤの照射範囲をより広範囲に広げることができる。
【００１３】
上記考案において、前記空間部の前面側の開口部並びに後面側の開口部に透明な樹脂またはガラス製の閉鎖壁板が設けられてもよい。
これにより、ＬＥＤを保護するとともに、治具の外観をシンプルにして商品価値を高めることができる。
【図面の簡単な説明】
【００１４】
【図１】本考案の一実施例であるバランスウエイト取付治具の斜視図。
【図２】上記治具の断面側面図。
【図３】上記治具の使用状態の第一段階を示す斜視図。
【図４】上記治具の使用状態の第二段階を示す斜視図。
【図５】本考案の使用対象となるバランスウエイトの一部分を示す斜視図。
【図６】本考案の別実施例を示す断面図。
【考案を実施するための形態】
【００１５】
以下において、本考案の詳細について実施例に基づいて説明する。
図１並びに図２に示すように、本考案の一実施形態であるバランスウエイト取付治具Ａは、上面が細長い長方形をなす略直方体の（内部空間を有する）筐体からなる本体１を備えている。本体１（筐体）の下面１ａは、長辺方向に沿ってホイールＢの内周面１７（図４参照）の曲率に略沿った凸円弧状の形態で形成されており、この凸円弧状の下面１ａに沿って接着剤やビスなどを介して磁石板２が湾曲した姿勢で固定されている。これにより、磁石板２の下面も、ホイールＢの内周面１７の曲率に略沿った凸円弧状の形態となり、この面がバランスウエイトＣの実質的な吸着面２ａとなる。
なお、ここでは、本体１（筐体）の側壁面のうち、長辺側の垂直面を前面並びに後面とし、短辺側の垂直面を右側面及び左側面とする。
【００１６】
本体１（筐体）の上部の内部には後述するＬＥＤ３の電源となる電池４（電源）を収納する電源収納部５が設けられ、上面に設けられた蓋６を外して電池を交換できるように形成されている。また、本体１の一側面（左側面）にＬＥＤ３のスイッチ７が設けられている。
【００１７】
本体１（筐体）の電源収納部５よりも下側であって、かつ、下面１ａよりも上側である本体１の上下方向の中間部分には、本体１の前面、後面間を貫通する空間部８を形成するように内側壁が形成されている。本実施例では内側壁は、上部、下部、左部、右部の四面で形成されているが、このうち上部壁９の部分、すなわち内側壁の壁面の法線方向が磁石板２に向かう側の内側壁の位置に、光源となるＬＥＤ３が複数設けられている。さらに本実施例では、上部壁９はその法線方向が本体１（筐体）の前面側壁より前方の下方、及び、後面側壁より後方の下方に向かって斜めに向かうように前後一対の傾斜壁面が形成され、それぞれの傾斜壁面にＬＥＤ３が間隔をあけて複数個、例えば図１に示すようにそれぞれ３個ずつ設けられている。これにより、磁石板２の周辺の広範な領域、即ち、後述するマーカ１２の近傍を含めて広範囲にわたり効果的に照明できるようにしてある。
【００１８】
なお、上記したバランスウエイトＣの鉄製ブロック１３に対する磁石板２の吸着力が、バランスウエイトの両面粘着テープ１４のホイールＢ並びにブロック１３に対する接着力より劣るように予め設定されている。
【００１９】
また、本体１（筐体）の上部は、手で治具Ａを握るための把手部１０として形成されており、滑り止めのための凸条１０ａが本体１の前後面側壁に形成されている。更に、本体１の前面、後面の下端部中心位置に位置合わせ用のマーカ１２が設けられている。
【００２０】
次に、上記の治具Ａの使用方法について説明する。まず、図３に示すように、ホイールバランサーによって検出された量のバランスウエイトＣを磁石板２の吸着面２ａに吸着保持させる。このとき、バランスウエイトＣの中心をマーク１２に合わせておく。バランスウエイトＣを吸着面２ａに吸着保持させたあと、離型紙１５を剥がして両面テープ１４の粘着面を露出させる。
【００２１】
次いで、図４に示すように、タイヤホイール５の内周面１７でバランサー内部の検出手段により指定された（レーザ光で表示された）ウエイト設置位置（レーザ光による表示部は図面上では省略した）にマーク１２を合わせて治具Ａをのせ、手で押し当ててバランスウエイトＣをタイヤホイール内周面に接着させたあと、治具ＡをバランスウエイトＣから離反させる。この際、バランスウエイトＣの鉄製ブロック１３に対する磁石板２の吸着力が、バランスウエイトの両面粘着テープ１４のホイールＢ並びにブロック１３に対する接着力より劣るように予め設定されているので、治具Ａを容易に離反させることができる。
【００２２】
バランスウエイト取り付け時において、作業位置の条件により暗くて見づらい場合は、ＬＥＤ３を点灯することで指定された取付位置を明るく照らすことができ、位置ずれすることなく正確にバランスウエイトを取り付けることができる。また、バランスウエイト取付時以外でも作業場での照明器具として便利に利用することができる。
【００２３】
図６は本考案の別の実施例を示すものであって、本体１の前後面に貫通する空間部８の前面開口部並びに後面開口部に透明な樹脂またはガラス製の閉鎖壁板１６が設けられている。これによりＬＥＤ３を保護すると共に治具Ａの外観をシンプルにして商品価値を高めることができる。
【００２４】
以上、本考案の代表的な実施例について説明したが、本考案は必ずしも上記の実施形態に特定されるものでなく、本考案の目的を達成し、請求の範囲を逸脱しない範囲内で適宜修正、変更することが可能である。
例えば、上記実施例では本体１（筐体）の材質については特に限定していないが、例えば透明な樹脂（透明アクリル等）で本体１を構成するようにすることもできる。これにより、ＬＥＤ３を取り付ける内側壁の上部壁を磁石板２に対向する水平な面にしても、ＬＥＤ３からの光が本体１を透過して磁石板２の周辺を十分に明るく照明することができるようになる。
また、上記実施例では電源収納部５に電池４を採用しているが、筐体の側壁（例えば右側面）にコネクタ（例えばＵＳＢコネクタ）を設けて電源収納部５に電気接続させて、充電可能なバッテリを電源収納部５に搭載するようにしてもよい。
【産業上の利用可能性】
【００２５】
本考案は、自動車修理工場などで、鉄製バランスウエイトを、ホイールの指定位置に手作業で貼付けるための治具として利用することができる。
【符号の説明】
【００２６】
Ａ  バランスウエイト取付治具
Ｂ  車両用ホイール
Ｃ  バランスウエイト
１  本体
１ａ  本体の下面
２  磁石板
２ａ  吸着面
３  ＬＥＤ
４  電池（電源）
５  電源収納部
８  空間部
９  内側壁の上部壁
１０  把手部
１２  位置合わせ用マーカ
１６  閉鎖壁板
１７  ホイール内周面
【図１】
0003229199.tif 000003
【図２】
0003229199.tif 000004
【図３】
0003229199.tif 000005
【図４】
0003229199.tif 000006
【図５】
0003229199.tif 000007
【図６】
0003229199.tif 000008
【手続補正書】
【提出日】令和2年8月28日(2020.8.28)
【手続補正１】
【補正対象書類名】実用新案登録請求の範囲
【補正対象項目名】請求項４
【補正方法】変更
【補正の内容】
【請求項４】
前記内側壁の上部側には、法線方向が前記前面より前方の下方に向かい、前記後面より後方の下方に向かう前後一対の傾斜面が前記長辺方向に沿って形成され、
前記傾斜面に前記ＬＥＤが取り付けられるようにした請求項３に記載のバランスウエイト取付治具。
【手続補正２】
【補正対象書類名】明細書
【補正対象項目名】００１２
【補正方法】変更
【補正の内容】
【００１２】
上記考案において、前記内側壁の上部側には、法線方向が前記前面より前方の下方に向かい、前記後面より後方の下方に向かう前後一対の傾斜面が前記長辺方向に沿って形成され、前記傾斜面に前記ＬＥＤが取り付けられるようにしてもよい。
これにより、磁石板周辺のＬＥＤの照射範囲をより広範囲に広げることができる。